(57)【要約】【課題】  本発明は、折り畳み可能なベビーカーシャーシ、特に、車輪と、ベビーカーシャーシを押すためのプッシュ要素（１１）とを備えた、スポーツモデルのベビーカーシャーシ、バギーシャーシまたは同様の子供用乗り物のシャーシに関する。【解決手段】  本発明のベビーカーシャーシは、少なくともロック可能な使用状態および折り畳まれたロック可能な収納状態にすることができ、特に手動式の作動装置（１６）が設けられ、ロック使用状態からロック収納状態に移行するように、特に作動装置（１６）の単一の第１の作動による、少なくとも２つのロック手順、特に使用状態におけるロックの解除と収納状態におけるロックの調整との両方を行うことができるように構成される。【選択図】  図２
2019529221.tif 000002
【特許請求の範囲】
【請求項１】
折り畳み式ベビーカーシャーシ、特にスポーツモデルのベビーカーシャーシ、バギーシャーシ、または同様の子供用乗り物のシャーシであって、
前記ベビーカーシャーシは、前記ベビーカーシャーシを押すためのプッシュ要素（１１）および車輪を有し、少なくともロック可能な使用状態と少なくとも１つの折り畳まれたロック可能な収納状態とにすることができ、
ロックされた前記使用状態からロックされた前記収納状態への移行中において、単一の第１の作動によって、少なくとも２つのロックプロセス、特に前記使用状態におけるロックの解除と前記収納状態におけるロックの調整との両方を行うことができるように構成される特に手動の作動装置（１６）が設けられていることを特徴とする折り畳み式ベビーカーシャーシ。
【請求項２】
前記第１の作動は、動きが反転しない作動であることを特徴とする請求項１に記載の折り畳み式ベビーカーシャーシ。
【請求項３】
ロックされた前記収納状態からロックされた前記使用状態への移行中に、ロックプロセス、特に前記収納状態におけるロックの解除は、好ましくは動きが反転しない作動であり、および／または、好ましくは前記第１の作動の運動学的反転であるところの前記作動装置（１６）の単一の第２の作動によって実行され得ることを特徴とする請求項１または２のいずれか１項に記載の折り畳み式ベビーカーシャーシ。
【請求項４】
前記作動装置（１６）は、前記第１の作動が、前記使用状態におけるロックの解除と前記収納状態におけるロックの調整とが少なくとも部分的に時間的に重なる、特に同時に起こるか又は時間的に連続して起こるという結果を有するように構成されることを特徴とする請求項１乃至３のいずれか１項に記載の折り畳み式ベビーカーシャーシ。
【請求項５】
前記作動装置（１６）は、第１および／または第２の作動を実行するために旋回することができることを特徴とする請求項１乃至４のいずれか１項に記載の折り畳み式ベビーカーシャーシ。
【請求項６】
前記作動装置（１６）は、ハンドルの高さ調整のために旋回可能であり、特に異なるピボット位置にロックすることができるプッシュ要素（１１）の一部および／またはクリップ、特にスライド式クリップ、および／またはレバーおよび／またはフラップ、および／または少なくとも１つのプッシュ要素セクション（１６）であることを特徴とする請求項１乃至５のいずれか１項に記載の折り畳み式ベビーカーシャーシ。
【請求項７】
前記作動装置（１６）は、好ましくは引張り要素、特にボーデンケーブルを介して調整装置（２０）と協働し、
前記調整装置（２０）は、少なくとも１つの第１の位置と第２の位置とに調整することができるものであり、前記使用状態が前記第１の位置にロックされている、および／または、前記収納状態のロックが前記第１の位置に解除されている、および／または、前記収納状態が前記第２の位置にロックされ、および／または前記使用状態のロックが前記第２の位置に解除されることを特徴とする請求項１乃至６のいずれか１項に記載の折り畳み式ベビーカーシャーシ。
【請求項８】
前記調整装置（２０）は、前記使用状態における前記第１の位置から前記第２の位置への移動中において、特に引っ張り装置、好ましくはロック受け部（３０ａ，３０ｂ）からの第２のばね（３１ａ，３１ｂ）の作用に対して第１のロック要素（２６）が動かされるように、第１の動作伝達装置、特に第１の追い込み傾斜面（２３）を備え、および／または、前記収納状態における第１の位置から第２の位置への移動中において、第２のロック要素（２７）が、特に引っ張り装置、好ましくは第４のばね（３５）の作用に抗してロック受け部内に移動させる第２の動作伝達装置、特に第２の追い込み傾斜面（２４）を備えていることを特徴とする請求項７に記載の折り畳み式ベビーカーシャーシ。
【請求項９】
前記第１および第２のロック要素のうち一方のロック要素は軸方向に動かされ、他方のロック要素は半径方向に動かされることを特徴とする請求項８に記載の折り畳み式ベビーカーシャーシ。
【請求項１０】
前記第２のロック要素（２７）は、互いに向かって動くことができる少なくとも２つのロック要素部分（２８，２９）を備え、
引っ張り装置、特に第３のばね（３１）は、前記引っ張り装置がロック要素部分（２８，２９）を互いから押し出すように前記ロック要素部分（２８，２９）の間に設けられていることを特徴とする請求項８または９のいずれか１項に記載の折り畳み式ベビーカーシャーシ。
【請求項１１】
前記ベビーカーシャーシをさらに折り畳むことができるように、前記収納状態をロックすることができ、
この目的のために、好ましくは、請求項８、９または１０のうちの１項に記載の前記第２のロック要素（２７）および付属ロック受け部（３７）は、特に非対称的には、前記収納状態が展開に対してロックされているが、同時にさらに折り畳むことが可能であるように構成されていることを特徴とする請求項１乃至１０のいずれか１項に記載の折り畳み式ベビーカーシャーシ。
【請求項１２】
特に、スポーツモデルのベビーカーシャーシ、バギーシャーシまたは同様の子供用乗り物シャーシであって、
車輪およびベビーカーシャーシを押すためのプッシュ要素（１１）を有し、前記ベビーカーシャーシを少なくともロック可能な前記使用状態にすることができ、
プッシュ要素（１１）の少なくとも１つの前記プッシュ要素セクション（１６）がハンドル（１８）の高さ調整のために旋回可能であり、少なくとも１つの折り畳まれたロック可能な前記収納状態にあり、
前記使用状態および／または前記収納状態のロックおよび／またはロック解除は、旋回可能な前記プッシュ要素セクション（１６）を旋回させることによって達成されることを特徴とする請求項１乃至１１のいずれか１項に記載の折り畳み式ベビーカーシャーシ。
【請求項１３】
旋回可能な前記プッシュ要素セクション（１６）は、少なくとも２つ、好ましくは少なくとも３つのピボット位置にロックすることができ、および／または、旋回可能なプッシュ要素セクションは、さらなるプッシュ要素セクションに対して旋回可能であることを特徴とする請求項１乃至１２のいずれか１項に、特に請求項１２に記載の折り畳み式ベビーカーシャーシ。
【請求項１４】
特に、スポーツモデルのベビーカーシャーシ、バギーシャーシまたは同様の子供用乗り物シャーシ、車輪およびベビーカーシャーシを押すための押し部材（１１）を含む。
前記ベビーカーシャーシは、少なくともロック可能な前記使用状態と、折り畳まれた任意にロック可能な前記収納状態とにすることができ、
前記使用状態のロックの解除は、同時に行われる２つの異なる作動ステップか、または３つの連続する作動ステップのいずれかによって達成され得るように、ベビーカーシャーシが構成され、
前記ベビーカーシャーシは、少なくとも２つの異なる前記使用位置を調整することができる少なくとも１つの調整可能性を有し、
前記使用状態にロックされるか又は解除される、少なくとも１つのさらなる位置、すなわちロック解除位置を採用することができることを特徴とする請求項１乃至１３のいずれか１項に記載の折り畳み式ベビーカーシャーシ。
【請求項１５】
前記使用状態および／または前記収納状態のロックおよび／またはロック解除が達成されるピボット位置への旋回可能な前記プッシュ要素セクション（１６）の旋回が、前回の後か又は同時の後にのみ行うことができるように、すなわち、安全装置、特にノブ、好ましくはプッシュ要素の水平部分の作動が旋回プロセス中に行われることが可能になるようにベビーカーシャーシが構成されることを特徴とする請求項１２乃至１４のいずれか１項に記載の折り畳み式ベビーカーシャーシ。
【請求項１６】
請求項１乃至１５のいずれか１項に記載のベビーカーシャーシを有するベビーカー、特にスポーツモデルのベビーカー、バギー、または同様の子供用乗り物。
【発明の詳細な説明】
【技術分野】
【０００１】
本発明は、ベビーカーシャーシ及びベビーカーに関する。
【背景技術】
【０００２】
折り畳み式ベビーカーシャーシは、例えば、DE 10 2014 110 215 A1号公報により公知である。ここで論じられている種類の車椅子用シャーシ、特にスポーツモデルのベビーカーシャーシ、バギー、または子供用の類似の車両は、乳児および幼児の実用的な搬送に使用される。公知のベビーカーシャーシでしばしば問題となるのは、非使用状態でのスペース要件である。特に、運搬中、ベビーカーを一緒に折り畳むことができれば有利である。この場合に、ベビーカーシャーシの変換はユーザーにとってできるだけ簡単に行われるべきである。
【０００３】
ベビーカーシャーシを使用状態から収納状態へと移行させるための各種の折り畳み機構が従来技術において種々提案されている。少なくとも使用状態（使用位置）では、折りたたみ機構の偶発的な作動に対してベビーカーを固定しなければならない。任意に安全装置を収納位置（収納状態）に設けることもできる。
【０００４】
折り畳み式ベビーカーは、通常、例えばプッシュ要素と前側脚部および／または後側脚部とが互いに対して回転することができ、またはそれらの位置に対して固定されることができる関節運動（アーティキュレーション）を有する。安全装置が収納状態用に設けられている場合に、これはしばしば独立した機構によって実施される。
【０００５】
しかしながら、公知の折り畳み機構は全体的に不利であると思われる。特に、ベビーカーをその使用状態から収納状態に（または逆に）移動させるためには、ユーザーのいくつかの別々の操作が必要とされる。例えば、第１の操作として使用位置の横方向のロック解除、および第２の操作としてシャーシの折り畳み、また必要に応じて、収納状態での自動ロック、または第１の操作として任意に収納状態の横方向のロック解除、および第２の操作として使用位置での任意の自動ロックを伴うシャーシの展開などの操作が必要とされる。
【発明の概要】
【発明が解決しようとする課題】
【０００６】
収納状態で安全装置が設けられていない限り、シャーシは偶発的に意図しないところで（例えば、乗用車のトランクに積み込むときなどに）展開してしまう可能性がある。さらに、折り畳み機構は通常片手で操作することはできず、ユーザーは、例えば、まず最初に使用状態の横方向のロック解除（両側で同時に）を行い、次いで折り畳み工程、または最初に片手で収納状態のロック解除を行いながら、もう一方の手でシャーシを同時に展開しなければならない。
【０００７】
本発明の目的は、ベビーカーを簡単な方法で折り畳み可能とし、使用位置と収納位置との両方を簡単な方法で固定可能とし、ベビーカーまたは対応するベビーカーシャーシを提供するところにある。
【課題を解決するための手段】
【０００８】
上記目的を解決するために、請求項１の特徴を有するベビーカーシャーシが提案される。
【０００９】
特に、この目的は、ベビーカーシャーシと、ベビーカーシャーシを押すためのプッシュ要素と、ベビーカー付属品を締結するための締結手段とを含み、ベビーカーシャーシをロック可能な使用状態および折り畳み式のロック可能な収納状態にすることができ、（手動）作動装置が設けられ、ロックされた使用状態からロックされた収納状態への移行中において少なくとも２つの工程（特に折り畳み工程および／またはロック工程）を実行できるように構成され、好ましくは、使用状態におけるロックの解除と、作動装置の（単一の）第１の作動による収納状態におけるロックの調整との両方であることが好ましい折り畳み可能なベビーカーシャーシ、特にスポーツ用ベビーカーシャーシ、バギーシャーシ、または同様の子供用乗り物のシャーシによって解決される。
【００１０】
（手動の）作動装置は、（ベビーカーを分解することなく）ユーザーが手を伸ばせば届くことができ、（手動で）ユーザーが作動させることができる作動装置として特に理解されるべきである。ここで、手動作動は、とくに手および／または足による作動として理解されるべきである。作動装置は、特に、例えばクリップまたはレバーのような（一体の）作動要素によって形成されている。作動装置の単一の作動は、特にユーザーが作動装置を一度作動させる（特に移動させる）工程として理解されるべきである。収納状態は、前後脚または前後一対の脚が互いに向かって移動され（回転され）、および／またはプッシュ要素が（使用状態から始まる）前方脚（一対の脚）の方向に移動（回転）される状態として特に理解されるべきである。
【００１１】
本発明の核心となる態様は、ベビーカーのシャーシを、それぞれロック（ロックされた）使用位置からロック（ロックされた）保管位置へ（場合によっては）戻すことができる操作を（単一の）操作とすることができることにある。（ベビーカーシャーシの折り畳み用の）１つの折り畳みジョイントでは、この１つの動作において、任意にいくつかの工程を同時に、または時間的に重複して、あるいは時間的に連続して開始することができる。具体的には、例えば、収納位置をロックするためのロック装置の予張力（収納状態）および使用位置（使用状態）のロックの解除（ロック）を行うことができる。作動は、特に（純粋に）並進移動および／または（純粋に）回転移動であるか、またはそれらの組み合わせである。作動中、回転方向は回転中および／または並進中に逆転しないことが好ましい。好ましくは、第１の作動は、動きが反転しない作動である。
【００１２】
全体として、本発明による折り畳み式ベビーカーシャーシによって、使用状態から収納状態への移行を簡単な方法で達成することができるにもかかわらず、ベビーカーシャーシの安全な使用が可能になる。とくに、折り畳み工程は、（任意で片手で）（単一の）操作で実行することができ、そのような操作は、好ましくは（設定または把持することなく）連続的な移動シーケンスとして理解されるべきである。
【００１３】
ロック収納状態からロック使用状態への移行中、好ましくは（少なくともまたは正確に）１つまたは少なくとも２つのロック工程、例えば、収納状態でのロックの解除および／または使用状態におけるロックの調整は、作動装置の（単一の）第２の作動によって行われる。第２の作動は、好ましくは、動きが反転しない作動である。さらに、第２の作動は、第１の作動の運動学的反転であり得る。運動学的反転は、特に（回転作動の場合には）後退または（並進作動の場合には）後退として理解されるべきである。有利には、収納状態から使用状態への展開は、一回の操作で（好ましくは片手で）行うことができる。
【００１４】
ロックの調整は、それを用いたときにそれぞれの状態がロックされるプロセスとして特に理解されるべきである。したがって、ロックの調整は、特に、それぞれの状態が採用される前に、例えば事前張力付与装置（特にばね）にプリテンションをかけることによって行うことができる。それぞれの状態への排他的な持ち込みは、好ましくは作動として理解されるべきではない。したがって、（第１または第２の）作動は、ロックの解除またはロックの解除が（ユーザーによって）能動的に制御されるプロセスとして特に理解されるべきである。
【００１５】
作動装置は、第１の作動が使用状態でのロックの解除と収納状態でのロックの調整とが少なくとも部分的に一時的に重なる、特に同時に起こるか又は時間的に連続して（おそらく時間間隔で）起こるという結果を有するように構成することができる。代替的にまたは付加的に、作動装置は、第２の作動が収納状態でのロック解除および（実施されている場合）使用状態でのロックの調整が少なくとも部分的に一時的に重なる、特に同時に起こるかまたは時間的に連続して（おそらく時間間隔で）起こるという結果を有するように構成することができる。
【００１６】
特定の実施形態では、作動装置は、第１および／または第２の作動を実行するために旋回することができる。この場合に、第２の作動は、第１の作動の形態での旋回の後方への旋回であることが好ましい。旋回による作動は、（例えば、伸縮式の解決策と比較して）障害を比較的受けにくく、特に、汚れの侵入に関して比較的耐性がある。機能性をそれほど制限することなく、製造における比較的大きな公差もまた許容可能である。これにより、全体的に信頼性があり、かつ極めて簡単な折り畳み式ベビーカーシャーシの操作が達成される。
【００１７】
作動装置は、プッシュ要素および／またはクリップ、特にスライド式クリップ（またはそのようなものを含む）、および／またはレバー（またはそのようなものを含む）および／またはフラップ（またはそのようなものを含む）の一部とすることができる。代替的に又は追加的に、プッシュ要素の少なくとも１つのプッシュ要素部分は、ハンドルの高さ調整のために旋回可能にすることができ、とくに異なるピボット位置でロックされるようにできる。全体として折り畳み機構の動作はさらに単純化される。
【００１８】
作動装置は、好ましくは引張り要素、特にボーデンケーブルを介して調整装置と協働することができ、前記調整装置は、少なくとも１つの第１および第２の位置に調整することができ、使用状態では第１の位置に固定され、収納状態のロックが第１の位置で解除され、および／または収納状態のロックが第２の位置で固定され、および／または使用状態のロックが第２の位置で解除される。調整装置は、好ましくは、第１の位置から第２の位置への移動中に並進的に、任意に純粋に並進的に移動する。特に好ましくは、この場合、作動装置は（任意に）回転枢動によって作動させることができる。その結果、簡単な方法でベビーカーシャーシの確実に機能する折り畳みが可能になる。
【００１９】
調節装置は、使用状態における第１の位置から第２の位置への移動中に第１のロック要素が特に引っ張り装置、好ましくはロック受け部からのばねの作用の反対方向に移動するように、第１の動作伝達装置、特に第１の追い込み傾斜面(run-in slope)を含むことができる。代替的に又は付加的に、調節装置は、第２の動作伝達装置、特に第２の追い込み傾斜面(run-in slope)を備え、収納状態において第１の位置から第２の位置への移動中に第２のロック要素が移動する。特に引っ張り装置、好ましくはばねの作用に抗してロック受け部内に入る。第１及び／又は第２のロック要素を回転および／または並進移動可能にすることができる。１つの特定の実施形態では、第１のロック要素は（純粋に）並進的に動かすことができ、第２のロック要素は（純粋に）回転的に動かすことができる。これにより、全体としてロック方法がさらに簡単になる。
【００２０】
好ましくは、第１および第２のロック要素からの一方のロック要素、特に第１のロック要素は軸方向に動かされ、他方、特に第２のロック要素は半径方向に動かされる。その結果、種々のロック方法に対して省スペースで効果的な構造が提供される。
【００２１】
第２のロック要素は、互いに向かって動くことができる少なくとも２つのロック要素部分を含むことができ、その場合、引っ張り装置がロック要素部分を押すように、引っ張り装置、特にばねがロック要素部分の相互間に設けられる。
【００２２】
ベビーカーシャーシをさらに折り畳むことができるように、収納状態をロックすることができる（すなわち、再度の折り畳みに対する安全装置が１つだけ設けられる）。この目的のために、第２のロック要素および付属のロック受け部は、展開に対して収納状態がロックされるように（特に非対称に）構成されるが、同時にさらなる折り畳みが可能であるようにも構成される。
【００２３】
上記の目的は、特に上述した種類の折り畳み式ベビーカーシャーシ、好ましくは車輪を備えたスポーツモデルベビーカーシャーシ、バギーシャーシ、または同様の子供用車両シャーシ、ならびにベビーカーシャーシを押すためのプッシュ要素ばかりでなく、任意にベビーカー付属品を締結するための締結手段を有することによってもさらに解決される。このようなベビーカーシャーシは、少なくとも１つのロック可能な使用状態と、折り畳まれた任意にロック可能な収納状態とにすることができ、プッシュ要素の少なくとも１つのプッシュ要素セクションは、高さ方向に旋回可能である。使用状態および／または収納状態のロックおよび／またはロック解除は、旋回可能プッシュ要素セクション(pivotable push element section)を旋回させることによって達成される。したがって、他の点では（高さ調整のために）旋回可能なプッシュ要素部分において、この旋回可能性が利用されるか、またはさらに構成されてロッキングプロセスも行われ得るかという中核的な考え方を見ることができる。高さ調節のために旋回可能な通常のプッシュ要素部分は、ベビーカー折り畳み用の関節から比較的離れて配置されているが、本発明によれば、全体的な操作および構造もまた単純化することができる。旋回可能なプッシュ要素部分と折り畳みジョイントとの間の比較的大きな距離は、好ましくはプッシュおよび／またはプル装置、例えばボーデンケーブルによって橋渡しすることができる。このように本発明のアプローチは、ロックのための作動装置が通常直ちに又は折り畳みジョイントに空間的に近接して設けられていた従来の解決法からある程度は逸脱している。旋回による作動は、（例えば、伸縮式の解決策と比較して）全体的に故障しにくく、とくに汚れの侵入に対して比較的耐性がある。機能性をそれほど制限することなく、製造における比較的大きな公差もまた許容可能である。本発明の解決手段によって、全体として単純で安全なロック、特に使用状態のロックが可能になる。
【００２４】
好ましくは、旋回可能プッシュ要素セクションは、少なくとも２つ、好ましくは少なくとも３つのピボット位置にロックすることができる。代替的にまたは追加的に、旋回可能プッシュ要素セクションは、さらなるプッシュ要素セクションに対しても旋回可能であり得る。旋回可能プッシュ要素セクションの旋回軸は、折り畳みジョイントに対して少なくとも１０ｃｍ、好ましくは少なくとも２０ｃｍの距離を有することが好ましい。プッシュ要素セクションは、全体として（Ｕ字形状の）クリップとすることができ、クリップの脚部は、少なくとも１０ｃｍ、または少なくとも１５ｃｍ、および／または最大で３０ｃｍ、最大で２５ｃｍ、または最大で２０ｃｍの長さである。
【００２５】
しかしながら、好ましくは上記の態様と組み合わされる本発明のさらなる（独立した）態様によれば、ベビーカーシャーシを押すためのプッシュ要素ばかりでなく車輪を有する折り畳み可能なベビーカーシャーシ、特にスポーツモデルのベビーカーシャーシ、バギーシャーシ、または子供用の類似の車両用シャーシが提案される。
使用状態のロックの解除が、（同時に）同時に行われる２つの異なる作動ステップ（プロセスステップ）によって、または（連続して）３つの連続した作動ステップ（プロセスステップ）によって達成され得るように、ベビーカーシャーシは構成される。ここで、ベビーカーシャーシは、少なくとも２つの異なる使用位置を調節することができる少なくとも１つの調節可能性を有し、少なくとも１つのさらなる（少なくとも第３の）位置、すなわち、使用状態のロックが解除されるか、または解除される解除位置を採用することができる。
【００２６】
調整可能性は、特に、（特に隣接するセクション間の相対角度に関して、または隣接するセクションからの距離に関して）ベビーカーシャーシのフレーム（またはフレームワーク）の調整、すなわち、例えば高さ調整、特にプッシュ要素の高さ調整を含む。１つの位置（特に最後の使用位置）から別の位置（特にアンロック位置）への移動は、２つの同時作動工程（例えば、ボタンを押すこと、および例えばレバーまたはフレームの部分、特にプッシュ要素部分を旋回させることによって）のみで行われることが好ましい。代替として、これはまた、３つの（連続的な）工程（のみ）によって可能にされ得る。一実施形態では、少なくとも２つの使用位置間の移動および（最後の）使用位置からアンロック位置への移動のための同じ作動ステップ（特に同時）は、同じステップ（または対応する）作動ステップによって実行することができる。例えば、（同じ）ボタンまたはほぼ同じ安全装置を押すことと、ベビーカーシャーシのセクション、特にプッシュ要素セクションを（特に旋回させると）同時に移動することによる（プロセスステップ）。好ましくは、ロック解除位置は少なくとも２つの（異なる）使用位置の間にはない。
【００２７】
代替的なアイデアによれば、追加の位置が調整可能性（特に高さ調整）に追加される。この追加の位置は、好ましくは調整のためにすでに存在する２つの位置の間にはない（高さ調整）。追加の位置は、この位置が採用されたときにフレームロックが解除されてベビーカーを折り畳むことができるように構成されている。
【００２８】
特に好ましくは、調整可能性（高さ調整）の調整、特に旋回可能部分の旋回、例えば安全装置の作動（特にボタンを押す）およびプッシュ要素の同時変位（旋回）のために２つの同時処理ステップが必要である。好ましくは最後の使用位置と追加の位置との間に、特に好ましくは追加の位置に到達する直前に機構が設けられ、この機構は追加の位置への（偶然の）移動、例えば停止（またはロック）を防止する。結果として、ユーザーは、追加位置への移行の前に実際に両方のステップを同時に実行することを強いられる（そしておそらく最後の使用位置を離れるためだけではない）。好ましくは、追加の位置は、偶発的な移行を起こりにくくするために、通常の使用には不適切であるように、例えばプッシュ要素の押し込みに不適切な高さおよび／または位置に設定される。
【００２９】
ベビーカーシャーシは、好ましくは、使用状態および／または収納状態の施錠および／または施錠の解除は、特にノブ、好ましくはプッシュ要素の水平部分にある安全装置の前回の作動後または同時作動後にのみ行うことができるピボット位置への旋回可能プッシュ要素セクションが旋回運動をするように構成される。ノブは、好ましくは、水平方向のプッシュ要素セクションの中央に配置される。このノブは、ボタンを押すこと（一般的には安全装置を作動させること）と旋回可能プッシュ要素セクションの同時旋回とによってのみ行うことができるという意味でプッシュ要素の高さ調整をさらに可能にする。
【００３０】
特に、これがもはや（意味のある）有用な位置（しかし特にロック位置の前の位置）を採用していない旋回可能プッシュ要素セクションのピボット位置において、例えば、停止および／またはラッチ装置は、使用状態および／または収納状態のロックおよび／またはロック解除を行うことができるピボット位置にプッシュ要素セクションがもたらされることを防止することができる。安全装置を作動させる（特にボタンを押す）ことによってのみ、（これに必要なピボット位置は、次に選択することができるので）使用状態および／または収納状態のロックおよび／またはロック解除が可能になることが好ましい。好ましくは、安全装置の作動（特にボタンを押す）は、旋回可能プッシュ要素セクション（したがって、ここでは、旋回可能プッシュ要素セクションは、とくに旋回可能プッシュ要素セクションに隣接するプッシュ要素セクションに当接するようになる）が垂直方向の整列(vertical alignment)と前記旋回可能プッシュ要素セクションに隣接するプッシュ要素セクションと反平行な整列(alignment antiparallel)との間の角度範囲に位置するピボット位置において必要である。好ましくは、安全装置の作動は、例えば、少なくとも１０°または少なくとも２０°の角度と、これが旋回可能プッシュ要素セクションに隣接するプッシュ要素セクションと（少なくとも実質的に）反平行に延びるか、または好ましくはこの隣接するプッシュ要素セクションに対して少なくとも１０°の角度で延びる旋回可能プッシュ要素セクションの位置とによって、旋回可能プッシュ要素セクションが垂直延長部から出発してさらに旋回可能プッシュ要素セクションに隣接するプッシュ要素セクションの方向に回転する旋回可能プッシュ要素セクションの位置との間の角度範囲で必要である。
【００３１】
安全装置（またはベビーカーシャーシの対応する構成）を作動させる必要性の結果として、特に２つの同時並行処理ステップ（旋回可能プッシュ要素セクションの旋回作動および安全装置の作動、特にボタンの押下）によってのみ可能となるフレームロックが提供される。
【００３２】
好ましくは、車椅子は、ロック解除位置（追加位置）への移動およびフレームの折り畳みが、大きさが異なる力またはトルクおよび／または方向が異なる力またはトルクを必要とするように構成される。特に、ベビーカーは、ロッキングの旋回可能なセクションを旋回させる及び／又は使用状態及び／又は収納状態のロックを解除するためのトルクが、フレームを折り畳むために必要とされるトルクの方向とは異なる方向を向くように構成される。好ましくは、追加位置（ロック解除位置）は、（平均して）使用位置として、最後の位置からさらに少なくとも１．５倍、少なくとも２倍、３倍、または少なくとも５倍離れている。
【００３３】
一般に、ベビーカーシャーシは、前脚部を有し、特に一対の脚部と少なくとも１つの後脚部を有し、特に一対の後脚部を有することができる。それぞれの場合において、前脚および後脚は、好ましくは関節方式の折り畳みジョイントに接続され、それにプッシュ要素も任意に関節方式に接続することができる。加えて、任意に、接続部（接続リンク機構）が、前脚部と後脚部、任意に前脚部対と後脚部対を互いに接続することができる。この接続部は、任意に、関節方式の折り畳みジョイントに接続することもできる。
【００３４】
作動装置は、使用状態におけるロックの解除、収納状態への移行、および収納状態のロックが、特に把持して対応する力を加えることによって、特にハンドルを押すことによって、特にプッシュ要素ハンドルを押すことによって、片手で実行できるように構成することができる。代替的にまたは追加的に、作動装置は、ハンドル、特にプッシュ要素ハンドルを握り、それに対応して力を加えること、特に引っ張ることによって、収納状態でのロック解除、使用状態への移行、及び使用状態のロックを片手で実行できるように構成することができる。
【００３５】
上記の目的は、上述した種類のベビーカーシャーシを備えたベビーカー、特にスポーツモデルのベビーカー、バギーまたは同様の子供用の車両によってさらに解決される。ベビーカーでは、一体型のレセプタクルを子供または（任意で分離可能な）ベビーカー用アタッチメント、特にチャイルドシート、ハイチェアフレーム、チャイルドシートなどに提供することができる。
【００３６】
さらに、前述の目的は、それに応じて機能的に定式化された特徴を対応するプロセスステップで置き換えることができる前述の種類のベビーカーシャーシを折り畳むおよび／または展開する方法によって独立して解決される。さらなる実施形態は従属請求項から得られる。
【００３７】
本発明は、図面を参照して詳細に説明される例示的な実施形態を参照して以下に説明される。
【図面の簡単な説明】
【００３８】
【図１ａ】図１ａは、本発明のベビーカーシャーシを示す側面図である。
【図１ｂ】図１ｂは、図１ａのベビーカーシャーシの異なる状態を示す側面図である。
【図１ｃ】図１ｃは、前図のベビーカーシャーシのさらなる状態を示す側面図である。
【図１ｄ】図１ｄは、前図のベビーカーシャーシのさらなる状態を示す側面図である。
【図１ｅ】図１ｅは、前図のベビーカーシャーシのさらなる状態を示す側面図である。
【図１ｆ】図１ｆは、前図のベビーカーシャーシのさらなる状態を示す側面図である。
【図１ｇ】図１ｇは、前図のベビーカーシャーシのさらなる状態を示す側面図である。
【図１ｈ】図１ｈは、前図のベビーカーシャーシのさらなる状態を示す側面図である。
【図１ｉ】図１ｉは、前図のベビーカーシャーシのさらなる状態を示す側面図である。
【図１ｊ】図１ｊは、前図のベビーカーシャーシのさらなる状態を示す側面図である。
【図２】図２は、折り畳みジョイントを示す分解図である。
【図３ａ】図３ａは、第１の状態における折り畳みジョイントを示す第１の断面図である。
【図３ｂ】図３ｂは、図３ａの状態の折り畳みジョイントの部分断面図である。
【図４ａ】図４ａは、折り畳みジョイントの異なる状態における図３ａと同様の折り畳みジョイントを示す断面図である。
【図４ｂ】図４ｂは、図４ａの状態における折り畳みジョイントのさらなる状態を示す断面図である。
【図５】図５は、折り畳みジョイントのさらなる状態における図３ａと図４ａと同様の折り畳みジョイントを示す断面図である。
【図６】図６は、折り畳みジョイントのさらなる状態における図３ａ、図４ａ、図５と同様の折り畳みジョイントを示す断面図である。
【図７】図７は、折り畳みジョイントのさらなる状態における図３ａととりわけ同様の折り畳みジョイントを示す断面図である。
【図８】図８は、折り畳みジョイントのさらなる状態における図３ａととりわけ同様の折り畳みジョイントを示す断面図である。
【図９】図９は、図１ｈの拡大断面図である。
【発明を実施するための形態】
【００３９】
以下の説明では、同一の部品には同一の符号を付してある。
【００４０】
図１ａに、（中央）折り畳みジョイント１０によって関節方式で互いに接続されるプッシュ要素１１および前部対脚部の前脚１２、後部対の脚部の後脚１３および接続部１４を備えた折り畳み式車椅子シャーシを示す。対応して構成され配置された第２の折り畳みジョイントは、図１ａによる図面において、図示された折り畳みジョイント１０の後方に配置することができる。したがって、要素１２、１３、１４および／または４６は、二重になるように設計することができる。プッシュ要素１１、前脚１２および後脚１３は、軸１５まわりに回転可能である。接続部１４は（以下でさらに詳細に説明するように）この軸１５に対して偏心的に回転するようになっている。プッシュ要素１１は、遠位プッシュ要素セクション１６と近位プッシュ要素セクション１７とを含む。遠位プッシュ要素セクション１６は、ハンドル１８を含み、プッシュ要素ジョイント１９を介して近位プッシュ要素セクション１７に関節方式に接続されている。ハンドル１８の高さは、近位プッシュ要素セクション１７に対して遠位プッシュ要素セクション１６を旋回させることによって（例えば、３つの異なる位置、特に下方に折り畳まれた位置、中央に配置された位置、および上方に折り畳まれた位置に）調整することができる。異なる位置では、遠位プッシュ要素セクション１６を近位プッシュ要素セクション１７に対して任意にロックすることができる。ロックを解除するために、（中央）解除機構（ボタン）を遠位プッシュ要素セクション１６のハンドル１８（横方向ロッド）に設けることができる。この解除機構（ボタン）は、例えば、プル要素（特にボーデンケーブル）を介してプッシュ要素ジョイント１９内のロックを解除することができる。
【００４１】
図１ｂは、図１ａの状態（使用状態）を示しているが、図１ａとは異なり、遠位プッシュ要素セクション１６は、ハンドル１８がより高い位置に配置されるように異なる（中間）位置に旋回される。図１ｃは、ハンドル１８がさらに高く（最大高さで）位置決めされるように、遠位プッシュ要素セクション１６がまた更に旋回される位置を示す。
【００４２】
図１ａ〜図１ｃの使用状態では、ベビーカーは子供を運ぶために（ベビーカーアタッチメントにおいて）使用することができる。
【００４３】
図１ｄおよび図１ｅに示すように、遠位プッシュ要素セクション１６は、近位プッシュ要素セクション１７に対して前方に衝突するまで（図１ｅ）、図１ｃの位置（図１ｄ）を超えて回転させることができる。結果として、折り畳みジョイント１０内の調整要素は、（特に、以下でさらに詳細に説明するように、ばねの力に抗して）第１の位置から第２の位置へと変位することができる。しかしながら、ここで重要なことは、図１ｅの折り畳みジョイント１０のロックを解除して、ベビーカーシャーシを図１ｆの状態（折り畳み収納状態）にすることができるようにすることである。したがって、使用状態のロックは、遠位プッシュ要素セクション１６を旋回させることによって解除される。ベビーカーシャーシは、旋回中において、特にこれら２つの位置の間の少なくとも中間位置で、図１ｄの位置から図１ｅの位置へと旋回するように、すなわち、安全装置を作動させなければならず、特に（好ましくは上述の）解放機構（ボタン）を作動させなければならないように構成することができる。結果として、意図しないところで図１ｅの位置に達する可能性が少なくとも著しく低い。安全装置、好ましくはボタンの作動は、安全装置（ボタン）が（例えば、ばね力に抗して）積極的に圧力を受ける作動として特に理解されるべきである。
【００４４】
図１ｇは、図１ｆと比較して、ベビーカーシャーシがさらに折り畳まれた状態を示している。図１ｆの状態では、図１ｇに示すように、ベビーカーシャーシは、再び折り畳まれることに対してロックされているが、さらに折り畳まれることに対してロックされているわけではない。図１ｇの状態もまたロックされていないので、この状態では、適切な展開によって（遠位プッシュ要素セクション１６が動かされることなく）図１ｆの状態に再び達することができる。
【００４５】
使用位置におけるベビーカーシャーシのさらなる展開は、基本的に、図１ａ〜図１ｆまたは図１ｇを参照して説明した折り畳みの場合と同様にして達成される。最初に、遠位プッシュ要素セクション１６が後方に旋回され（図１ｈ参照）、それによって折り畳みジョイント１０内のロックが再び解除される。その結果、図１ｉおよび１ｊに示すように、ベビーカーシャーシを再び展開することができる。図１ｊは、図１ｃの使用状態を示す。
【００４６】
使用状態または収納状態をロックするための機構は、図２〜図８を参照して以下にさらに説明される。
【００４７】
図２に、図１ａまたは図１ｊの状態の折り畳みジョイント１０の（部分）分解図を示す。具体的には、図２は、上部プッシュ要素セクション１６または引っ張り要素（本明細書および以下では他に特定されない限り、半径方向および軸方向は常に図１ａの軸１５に関係している）によって半径方向に引っ張ることができる調整装置２０（調整要素）を示す。この引っ張り要素は、第１のばね２２の作用に抗して矢印２１の方向にこれ（特にボーデンケーブル。図には示されていない）に接続されている。その結果、第１の傾斜面（斜面）２３および第２の傾斜面（斜面）２４が矢印２１の方向に移動する。
【００４８】
傾斜面２３，２４の結果としてのジョイント部２５ａ，２５ｂに対する調整装置２０の移動中において、第１のロック要素２６は軸方向に変位し、第１の（外側）ロック要素部分２８および第２の（内側）ロック要素部分２９を含む第２ロック要素２７は半径方向に変位する。このロック要素２６、２７の変位または移動は、図３ａ〜図８を参照して以下に説明されるように、ばね（図２には示されず、参照番号３１ａ，３１ｂおよび３５で局在化されている）の力に抗して達成される。
【００４９】
図３ａおよび図３ｂは、図１ａ、図１ｂ、図１ｃまたは図１ｄのベビーカーシャーシの状態に対応している。第１のロック要素２６のロックセクション２６ａ、２６ｂを図３ｂ中に見ることができ、それらは対応するロック受け部３０ａ、３０ｂ内に配置されている。結果として、折り畳みジョイント１０は折り畳み不能に固定される。図３ａおよび図３ｂの状態では、第１のロック要素２６は、折り畳みジョイントを介したあらゆる折り畳みを防止する。第２のロック要素は図３ａの断面図中に見ることができる。
図３ａの状態では、第２のロック要素２７は折り畳みに対して使用状態を保証するものではなく（この機能は第１のロック要素２６により引き継がれる）、（以下でさらに詳細に説明されるように）ロック要素２７は収納状態を確保することができる状態にもない。
【００５０】
図４ａおよび図４ｂは、図１ｅの状態に対応している。この状態では、ベビーカーはまだ展開されているが、上部プッシュ要素セクション１６はすでにその最大旋回端位置に旋回している。これは、図２による調整装置２０が矢印２１の方向に半径方向に移動されたことと等価であり、その結果は図４ａと図４ｂに示されている。図２に示す第１の追い込み傾斜面２３の結果として、ロックセクション２６ａと２６ｂは、割り当てられたロック受け部３０ａと３０ｂに対して、特に第２のばね（一部詳細には示されていない：３１ａおよび３１ｂに局在化されている。図３ｂ参照）のばね力に抗して付勢される。したがって、第１のロック要素２６は折り畳みに対してもはやチャイルドシートを固定しない。また、図４ａの第２のロック要素２７も、折り畳みプロセスに対してチャイルドシートを（まだ）固定していない。しかしながら、第２のロック要素２７は、これが採用されるとすぐに（図１ｆに示すように）、図１ｆの収納状態を確保（ロック）することができる状態になる。これは（とりわけ）第２のロック要素部分２９の第１のロック要素部分２８の方向への移動の結果である。第１のロック要素部分２８の位置は、図３ａの位置に対応している。しかし、第２のロック要素部分２９は変わっていない。具体的には、この位置変更の結果として、第３のばね（詳細には見ることができない、３１に局在化している、図２と図３ａを参照）が圧縮され、ロック突起３２にバネ力が作用して、ロック突起３２が基本的に半径方向に付勢される。しかしながら、ここではロック突起３２は周囲部分３４の内面３３に当接しており、その結果としてばね付勢力が掛かっているにもかかわらず図３ａと同様の位置に留まる。第４のばね（図には詳細には示されていない、３５に局在化されている、図３ａ参照）は、遠位プッシュ要素セクション１６の移行または作動（すなわち、図３ａ、図３ｂから図４ａ、図４ｂへの移行）によって圧縮される。このばね３５は、一方が第２のロック要素部分２９上に支持され、他方が周囲部分３４の内面３３上に支持されている。この目的のために、開口部３６（図２参照）が第１のロック要素部分に設けられている。したがって、第４のばね３５は、基本的に第１のばね部品要素を半径方向内向きに付勢することになる。しかしながら、第２の傾斜面２４の作用の結果として、この内側への付勢は図４ａと図４ｂの状態では阻止される。
【００５１】
図４ａと図４ｂでは、第１のロック要素も第２のロック要素も固定されていないので、ベビーカーシャーシを折り畳むことができる。
【００５２】
図５は、図１ｆと同様の状態、すなわち折り畳み収納状態にある折り畳みジョイント１０を示す。ここではプッシュ要素１１は前脚１２に対して回転する。この回転の結果として、予張力をかけられたロック突起３２は対応するロック受け部３７に入り、その結果として、この収納状態がロックされる。しかしながら、ロック突起３２およびロック受け部３７は、（図１ｇの位置への）さらなる折り畳み中において、固定が存在しないように（または存在しても僅かな固定となるように）、特に、（いかなる機構も解除することなく）ロックを単にさらに折り畳むことを克服することができるように（非対称に）構成されている。これは（図１ｇと同様に）図６に示されている。特に、アンダーカット３８は、（対応する作動装置の作動なしに）使用状態の方向への折り返しを防止する。
【００５３】
作動装置（遠位プッシュ要素セクション１６）が再び作動されると、すなわち図１ｈに従って後退されると、第２のロック要素部分２９（図７参照）は半径方向内向きに移動することができる。この動きは、第４のばね３５の予張力の結果として強制される。さらに、第２のロック要素部分２９によって第１のロック要素部２８が半径方向内側に引っ張られてロック突起３２が付属のロック受け部３７から引き出され、ロックが全体的に解除されてチャイルドシートを展開することができる。図１ｉの状態は、再び図８の断面図に示されている。図１ｊの状態は、図３ａの断面に対応している。
【００５４】
（例えば）図３ａに見られるように、第１のロック要素部分２８は、第２のロック要素部分２９に対して軸４０まわりに旋回可能に取り付けられ、この旋回はピボットリミッタ４１（特に、第１のロック要素部分の対応するピンと協働することができる第２のロック要素部分の細長い穴の形態）によって範囲が定められている。
【００５５】
図１ｆの位置では、ベビーカーはすべての車輪の上に自由に立つこと（「自立機能」）ができる。図１ｇの更に折り畳まれた（平坦な）第２の収納状態では、これはもはや不可能である。図１ｇの第２の収納状態から、抵抗を克服することなく、ベビーカーシャーシを再び図１ｆの第１の収納状態にする（ロックする）ことができる。
【００５６】
図３〜図８に記載されているように、原則として（図３〜図８に示されている）プッシュ要素１１は、それぞれの前脚１２に対してロックすることができる。この場合に、残りの全ての旋回可能に取り付けられた部品、すなわち後脚および接続部品は固定されている（外れないようにしっかりと取り付けられている）。さらに、前脚１２対に対するプッシュ要素１１の折り畳み中に、残りの部分（接続部分１４と後脚１３）も自動的に折り畳まれる。これが達成され、それによって、接続部１４は、軸１５に対して偏心して（図９に破線の円として示される）旋回軸４３の周りを旋回可能である。さらに、連結部１４は、リンケージ４５を備えるリンク部４４にしっかりと連結されている。このリンケージ４５は案内機能を有し、（対応するアンダーカットが形成されているとき）任意に固定機能も有することができる。しかしながら、図１ａに示すように、全体的な構造の結果として、偏心旋回取付けの結果として、連結部１４が上方に移動することが重要である。その結果、前脚１２と後脚１３とは互いに接近し、図１ａに示す連結ストラット４６は互いに接近する。これを達成するために、前脚１２、後脚１３およびそれぞれの接続部１４は、互いに旋回可能である。
【００５７】
この点において、単独でまたは任意の組み合わせで見たときに上記のすべての部分、特に図面に示された詳細は、本発明に必須であると主張されることを指摘すべきである。その変形は当業者にはよく知られている。
【符号の説明】
【００５８】
10；折り畳みジョイント、11；プッシュ要素、12；前脚、13；後脚、14；接続部、
15；軸、16；遠位プッシュ要素セクション、17；近位プッシュ要素セクション、
18；ハンドル、19；プッシュ要素ジョイント、
20；調整装置、21；矢印、22；第１のばね、23；第１の傾斜面、24；第２の傾斜面、
25a；第１のセクション、25b；第１のセクション、
26；第１のロック要素、26a；ロックセクション、26b；ロックセクション、
27；第２のロック要素、
28；第１の（外側の）ロック要素部分、
29；第２の（内側の）ロック要素部分、
30a；ロック受け部、30b；ロック受け部、
31；第３のばね、31a；（第２の）ばね、31b；（第２の）ばね、
32；ロック突起、33；内面、34；取り囲み部、35；第４のばね、36；開口、37；ロック受け部、38；アンダーカット、
40；軸、41；旋回リミッター、43；旋回軸、44；リンク部、45；リンケージ、46；接続ストラット。
【図１ａ】
2019529221.tif 000003
【図１ｂ】
2019529221.tif 000004
【図１ｃ】
2019529221.tif 000005
【図１ｄ】
2019529221.tif 000006
【図１ｅ】
2019529221.tif 000007
【図１ｆ】
2019529221.tif 000008
【図１ｇ】
2019529221.tif 000009
【図１ｈ】
2019529221.tif 000010
【図１ｉ】
2019529221.tif 000011
【図１ｊ】
2019529221.tif 000012
【図２】
2019529221.tif 000013
【図３ａ】
2019529221.tif 000014
【図３ｂ】
2019529221.tif 000015
【図４ａ】
2019529221.tif 000016
【図４ｂ】
2019529221.tif 000017
【図５】
2019529221.tif 000018
【図６】
2019529221.tif 000019
【図７】
2019529221.tif 000020
【図８】
2019529221.tif 000021
【図９】
2019529221.tif 000022
【国際調査報告】
2019529221.tif 000023
2019529221.tif 000024
2019529221.tif 000025
2019529221.tif 000026
2019529221.tif 000027
2019529221.tif 000028
2019529221.tif 000029
2019529221.tif 000030
2019529221.tif 000031
2019529221.tif 000032